(57)【要約】    【課題】散水栓を上下動させて目詰まりを防止すると共に、キャップを外すことなく内部の水量調整弁を操作可能な消雪用散水ノズルの提供。    【解決手段】筒状のノズル本体４と、ノズル本体４の上端開口を閉塞するキャップ６と、上下動して散水口７を出没させる散水栓８と、ノズル本体４に内装する水量調整コック１４とを備える。散水栓８を内外に貫通する貫通筒３２を形成する。貫通筒３２に、調整ビス９をシールしつつ回転自在に内嵌する。調整ビス９を上下方向に移動可能として水量調整コック１４に係脱自在とする。調整ビス９が、水量調整コック１４からの離間状態で、貫通筒３２をシールしつつ散水栓８の上下動を許容する。調整ビス９が、水量調整コック１４への係合状態で、貫通筒３２の外部から水量調整可能にする。【選択図】  図１
0003138152.tif 000002
【実用新案登録請求の範囲】
【請求項１】
給水管に接続される給水部から小径部を経て水室部に至る筒状のノズル本体と、前記水室部の上端開口を着脱自在に閉塞するキャップと、前記水室部内に連通する散水口を有すると共に該散水口をキャップから出没させるよう前記キャップに上下動自在に設けられた散水栓と、前記給水部から水室部への給水量を調整する水量調整弁とを備え、
前記水量調整弁は、ノズル本体の小径部に螺合されると共に水室部内に連通する通水孔を有する弁筒と、該弁筒に内装されて前記通水孔よりも上端側で弁筒中央穴を塞ぐと共に、中心軸周りに回転して前記通水孔の通過水量を調整する水量調整コックとからなり、
前記散水栓には、上端開口部をキャップで閉塞した貫通筒が散水栓を内外に貫通して形成され、該貫通筒内には貫通筒の内周面との間をシールしつつ水量調整用の調整ビスが回転可能で、前記水量調節コックと係合可能に内嵌されていることを特徴とする消雪用散水ノズル。
【請求項２】
水量調整時において前記水量調整コックの回転量を規制する回転ストッパが水量調整コックと弁筒間に設けられ、規制された回転量を超えた水量調整コックの回転によって弁筒を回動可能とした請求項１に記載の消雪用散水ノズル。
【請求項３】
前記回転ストッパは、弁筒から内向きに突出する回転ストッパピンと、回転ストッパピンの突出部分を収容するよう水量調整コックの外周面に周方向に沿って所定の範囲に形成されたピン溝とからなる請求項２記載の消雪用散水ノズル。
【請求項４】
前記小径部と弁筒との間をシールするＯ−リングが設けられ、該Ｏ−リングが、水量調整コックを回転させて水量調節する際の弁筒の回り止めと兼用されたことを特徴とする請求項１、２又は３に記載の消雪用散水ノズル。
【請求項５】
前記水室部の上端開口を着脱自在に閉塞するキャップに円筒状の保持筒が突設され、この保持筒に前記散水栓が上下動自在に保持されると共に、保持筒に形成した通水孔を介して水室部と散水栓が連通され、小径部に螺合される弁筒上端と係合する係合部を保持筒下端に設け、小径部に弁筒を螺合することによって前記キャップを固定可能とし、キャップと弁筒との間に、キャップの水平変位を吸収するクリアランスを設けたことを特徴とする請求項１、２、３又は４に記載の消雪用散水ノズル。
【考案の詳細な説明】
【技術分野】
【０００１】
本考案は、例えば積雪地域の消雪道路に設置して散水するための消雪用散水ノズルに関するものである。
【背景技術】
【０００２】
一般に、積雪地域の消雪道路には、道路面下に埋設された給水管から供給する消雪水を道路面に散布して、道路面に積もった雪を消雪するための消雪用散水ノズルが設置されている。この消雪用散水ノズルは、給水管に接続されるノズル本体に、上方に向かって消雪水を散水する散水口を放射状に形成した構造のものが多く、その散水口が目詰まりした場合、ノズル全体の取り替えが必要となる。
【０００３】
これに対して、例えば特許文献１は、散水口の露出及び非露出状態を切り替えることにより、散水口の目詰まりを防止するようにした消雪用散水ノズルを開示している。図５に特許文献１の消雪用散水ノズルの断面図を示す。
【０００４】
この消雪用散水ノズルは、本体１０１と流量調整機構体１０２と蓋体１０３とで構成され、その蓋体１０３の中央に散水部１０４が上下動可能に設けられている。散水部１０４は、その上方移動時に内部と連通する散水口１０５が露出し、下降時に散水口１０５が非露出状態となるものであり、図６に示すように、散水部１０４が内部の水圧によって押し上げられて散水する。また、図７に示すように、消雪用散水ノズルの流量を調整する際、蓋体１０３及び散水部１０４を外して、内部中央に配置された流量調整機構体１０２をマイナスドライバーなどで操作するようになっている。
【特許文献１】実用新案登録第３１１１４９３号公報（段落番号００１４、００１８〜００２０、００２２、図１、図２、図３）
【考案の開示】
【考案が解決しようとする課題】
【０００５】
ところが、特許文献１の消雪用散水ノズルは、散水する水量を調整するのに蓋体１０３及び散水部１０４を外す必要があるので、その調整に時間と手間がかかりやすい。また、特許文献１の図４から図６で示されるように、蓋体を外すことなく水量を調整できるよう、蓋体において散水部から径方向外側に離れた部位に操作用孔を形成し、この操作用孔に位置を合わせて流量調整機構体を設置することも考えられるが、この場合、操作用孔及び流量調整機構体を散水部から偏倚して設置するスペースを必要とする分、消雪用散水ノズルが大型化しやすい。
【０００６】
本考案は、上下動して目詰まりを防止する散水栓を備えると共に、小型化を図りつつ、容易に内部の機構部を操作して水量調整可能な消雪用散水ノズルの提供を目的とする。
【課題を解決するための手段】
【０００７】
上記目的を達成するために、本考案に係る消雪用散水ノズルは、給水管に接続される給水部から小径部を経て水室部に至る筒状のノズル本体と、水室部の上端開口を着脱自在に閉塞するキャップと、水室部内に連通する散水口を有すると共にこの散水口をキャップから出没させるようキャップに上下動自在に設けた散水栓と、給水部から水室部への給水量を調整する水量調整弁とを備えたものであり、さらに、その水量調整弁は、ノズル本体の小径部に螺合すると共に水室部内に連通する通水孔を有する弁筒と、この弁筒に内装して通水孔よりも上端側で弁筒中央穴を塞ぐと共に、中心軸周りに回転して通水孔の通過水量を調整する水量調整コックとからなるものである。
【０００８】
さらに、散水栓には、上端開口部をキャップで閉塞した貫通筒を、散水栓を内外に貫通させて形成し、この貫通筒内には、貫通筒の内周面との間をシールしつつ水量調整用の調整ビスを回転可能で、水量調節コックと係合可能に内嵌する。
【０００９】
上記構成によれば、散水栓を上下動自在に設けて散水口の目詰まりを防止すると共に、その散水栓に貫通筒を形成するので、キャップを取り外すことなく内部の水量調整弁を外部から操作することができ、しかも、散水栓とは別の部位に貫通筒及び水量調整弁の設置スペースを設ける必要がない分、消雪用散水ノズルの小型化を図ることができる。
【００１０】
さらに、貫通筒に調整ビスを内嵌してシールしつつ、調整ビスを水量調節コックと係合可能にするので、貫通筒からの漏水を阻止しつつ、その調整ビスを外部から回転操作することによって水量調整コックを回転させて水量調整することができる。この場合、調整ビスを水量調整コックに接続してしまうと、調整ビスの上下動が規制されて貫通筒のシール又は貫通筒を形成した散水栓の上下動を阻害するおそれがあるが、調整ビスを水量調整コックに係合可能にするので、貫通筒をシールしつつ散水栓の上下動を許容し、かつ外部から水量調整弁を操作可能にすることができる。
【００１１】
また、水量調整時において水量調整コックの回転量を規制する回転ストッパを水量調整コックと弁筒間に設け、規制された回転量を超えた水量調整コックの回転によって弁筒を回動可能とする。そうすれば、水量調整時には、水量調整コックの回転量を水量調整するのに必要な範囲に規制して水量調整を容易にすることができ、キャップをノズル本体に着脱する際には、規制された回転量を超えて水量調整コックを回転させることにより、小径部に螺合する弁筒を回動させて、この弁筒と一体のキャップをノズル本体に着脱することができる。
【００１２】
回転ストッパとして、弁筒から内向きに突出する回転ストッパピンと、回転ストッパピンの突出部分を収容するよう水量調整コックの外周面に周方向に沿って所定の範囲に形成されたピン溝とからなる構成を例示できる。この構成によれば、水量調整コックの回転量を規制するだけでなく、弁筒からの水量調整コックの抜け出しを規制することもできる。
【００１３】
また、小径部と弁筒との間をシールするＯ−リングを設け、このＯ−リングを、水量調整コックを回転させて水量調節する際の弁筒の回り止めと兼用すれば、水量調整コックを回転させて水量調節する際の弁筒の回転を阻止して、ノズル本体の小径部からの弁筒の脱落を防止することができる。なお、キャップをノズル本体に着脱する際、規制された回転量を超えて水量調整コックを回転させるには、水量調整コックをＯ−リングによる抵抗に打ち勝つ強さで回転させればよい。
【００１４】
また、水室部の上端開口を着脱自在に閉塞するキャップに円筒状の保持筒を突設し、この保持筒で散水栓を上下動自在に保持すると共に、保持筒に形成した通水孔を介して水室部と散水栓を連通し、小径部に螺合する弁筒上端と係合する係合部を保持筒下端に設け、小径部に弁筒を螺合することによってキャップを固定可能とし、キャップと弁筒との間に、キャップの水平変位を吸収するクリアランスを設ける。
【００１５】
この構成によれば、キャップと弁筒とを一体にしつつ、自動車の車輪などからキャップに水平力が作用したとしても、その水平力がノズル本体の小径部に螺合した弁筒に伝わるのを阻止することができ、弁筒及びノズル本体の破損を防止することができる。
【考案の効果】
【００１６】
以上のとおり、本考案によると、キャップに設けた散水栓に貫通筒を形成し、この貫通筒に水量調整コックに係合可能な調整ビスを内嵌するので、貫通筒をシールしつつ散水栓の上下動を許容し、かつ内部の水量調整弁を外部から操作可能にすることができる。これにより、散水口の目詰まりを防止すると共に、消雪用散水ノズルの小型化を図りつつ、容易に内部の機構部を操作して水量調整することができる。
【考案を実施するための最良の形態】
【００１７】
以下、本考案に係る消雪用散水ノズルを実施するための最良の形態について、図面を用いて説明する。図１は本考案に係る消雪用散水ノズルを示し、左半分は断面図、右半分は側面図である。図２は弁筒及び保持筒の要部拡大断面図である。
【００１８】
消雪用散水ノズル１は、給水管２が供給する消雪水を道路面３に散布して、道路面３に積もった雪を消雪するためのものであり、中心軸を上下に向けると共に上端の高さを道路面３に合わせて埋設される筒状のノズル本体４と、ノズル本体４に内装されて散水する水量を調整する水量調整弁５と、ノズル本体４の上端開口を着脱自在に閉塞するキャップ６と、散水口７を有すると共に散水口７をキャップ６から出没させるようキャップ６に上下動自在に設けられた散水栓８と、ノズル本体４の外部から水量調整弁５を調整するための調整ビス９とを備えている。
【００１９】
ノズル本体４は、例えばステンレス製で、下端側に、道路面３に埋設された給水管２に接続される給水部１０が形成され、上端側に、散水栓８付きのキャップ６を装着して散水する碗形の水室部１１が形成されている。また、給水部１０及び水室部１１間に、両者よりも小径の小径部１２が形成され、この小径部１２の内周面に、水量調整弁５の後述する弁筒１３を螺合するためのねじが刻設されている。
【００２０】
水量調整弁５は、ノズル本体４の小径部１２に下端部が螺合されて水室部１１に突出するステンレス製の弁筒１３と、弁筒１３の上端側にその中央穴を塞ぎかつ中心軸周りに回転自在に内嵌された水量調整コック１４とからなり、水室部１１内に連通するよう弁筒１３の周壁に形成された通水孔１５を通じて給水部１０から水室部１１に給水するようになっている。なお、弁筒１３の内周面と水量調整コック１４の外周面との間は、通水孔１５よりも上端側に設けられたＯ−リング１６でシールされ、通水孔１５以外の部位からの水室部１１への浸水を阻止している。
【００２１】
水量調整コック１４は、例えばステンレス製で、弁筒１３の通水孔１５を内面側から覆う円筒体の上端を塞いでなる逆コップ形状とされ、その円筒体周壁に、通水孔１５と上下方向の位置を合わせて、その通水面積を調整する調整孔１７が形成されている。この調整孔１７は、通水孔１５に重ねることにより通水孔１５を開放し、通水孔１５からずらすことにより通水孔１５を閉塞し、さらに、通水孔１５と一部を重ねることにより通水孔１５の通水面積を調整する。
【００２２】
水量調整コック１４の上端面には係合溝１８が形成され、この係合溝１８に調整ビス９を係合させて中心軸周りに回転させることにより、調整孔１７を周方向に移動させるようになっている。これにより、弁筒１３の通水孔１５が開放、閉塞又は通水面積の調整がされて、通水孔１５の通過水量、すなわち、給水部１０から水室部１１への給水量が調整され、消雪用散水ノズル１の散水する水量が調整される。
【００２３】
また、水量調整弁５には、弁筒１３に対する水量調整コック１４の回転量を水量を調整するのに必要な最小限の範囲に規制する回転ストッパ１９が設けられ、散水する水量の調整を容易にする。さらに、弁筒１３の外周側に設けられたＯ−リング２０が、小径部１２との間をシールすると共に、水量調整コック１４を回転させて水量調節する際の弁筒１３の共回りを防止する回り止めとして機能する。なお、弁筒１３と水量調整コック１４との間にＯ−リング１６が設けられているが、このＯ−リング１６よりもＯ−リング２０の方がリング半径及び周長が長い分、回転に対する抵抗が大きく、水量調節する際の小径部１２に対する弁筒１３の回転が阻止される。
【００２４】
回転ストッパ１９は、弁筒１３から内向きに突出する回転ストッパピン２１と、回転ストッパピン２１の突出部分を収容するよう水量調整コック１４の外周面に周方向に沿って所定の範囲に形成されたピン溝２２とから構成される。この回転ストッパ１９は、回転ストッパピン２１がピン溝２２の端面に当接することにより、弁筒１３に対する水量調整コック１４の回転を規制する。さらに、回転ストッパ１９は、弁筒１３に対する水量調整コック１４の中心軸方向の移動をも阻止する。
【００２５】
また、回転ストッパ１９は、弁筒１３の回り止めとしてのＯ−リング２０の抵抗力を上回る力で、水量調整コック１４に係合する調整ビス９を回転させた際、規制された回転量を超える水量調整コック１４の回転によって弁筒１３を回動させてノズル本体４の小径部１２に着脱するようになっている。
【００２６】
キャップ６は、例えばステンレス製で、水室部１１の上端開口に内嵌される大きさの円盤状とされ、その外周面に設けられたＯ−リング２３でシールしつつ、水室部１１の上端開口を塞ぐように装着される。キャップ６の中央には、水室部１１の内部に向けてかつ下向きに円筒状の保持筒２４が突設され、この保持筒２４が散水栓８を上下動自在に保持している。
【００２７】
保持筒２４の下端には、弁筒１３の上端に形成されたフランジ２５に係合する係合部２６が形成され、調整ビス９を回転操作して弁筒１３をノズル本体４の小径部１２に螺合することにより、キャップ６を下向きに引き込んでノズル本体４に装着するようになっている。
【００２８】
この保持筒２４と弁筒１３との間には、クリアランス（Ｃ１、Ｃ２）が設けられ、キャップ６の水平変位を吸収し、キャップ６及び散水栓８に作用した水平力によるノズル本体４及び水量調整弁５の破損を防止する。また、保持筒２４には、通水孔２７が形成され、保持筒２４の外側から内側の散水栓８に給水するようになっている。
【００２９】
散水栓８は、例えばステンレス製で、保持筒２４に上下動自在に内嵌される円筒体２８の上端付近に複数の散水口７を放射状に形成すると共に、円筒体２８の上端を円板２９で塞いだ構造とされ、その散水口７が水室部１１に連通する。
【００３０】
散水栓８の円筒体２８には、保持筒２４から内向きに突出するストッパピン３０が侵入するスリット３１が形成され、円板２９は、キャップ６の保持筒２４を上方から覆い隠す大きさに設定されている。これにより、散水栓８は、ストッパピン３０がスリット３１の下端に接触する位置から、円板２９がキャップ６の上面に接触する位置までの範囲内で上下動自在とされ、散水栓８が上動してキャップ６から散水口７が露出したとき散水する。
【００３１】
散水栓８には、中央を内外に貫通する貫通筒３２が形成され、この貫通筒３２に、例えばステンレス製で、上端に操作溝３３が形成された円柱状の調整ビス９が、貫通筒３２の内周面との間をＯ−リング３４でシールしつつ回転自在に内嵌されている。貫通筒３２のうち、円板２９を貫通する部位はゴムキャップ３５で塞がれ、このゴムキャップ３５を取り外して上方からドライバーなどで調整ビス９を回転操作することにより、水量調整コック１４の回転角度を調整して外部から水量調整する。
【００３２】
調整ビス９は、水量調整コック１４と円板２９との間で貫通筒３２に対して上下方向に移動可能とされると共に、下端の係合突起３６が水量調整コック１４の係合溝１８に係脱自在とされている。これにより、調整ビス９は、散水栓８に伴って上下動すると共に、ドライバーなどで押し込んで下方に移動にさせることにより水量調整コック１４に係合して水量調整コック１４の回転角度を調整するようになっている。
【００３３】
次に、消雪用散水ノズル１が散水する様子を説明する。図３は消雪用散水ノズルが散水する様子を示す図であり、左半分は断面図、右半分は側面図である。
【００３４】
まず、給水部１０に接続された給水管２から消雪水を供給すると、この消雪水は、水量調整弁５に入り、水量調整コック１４の調整孔１７及び弁筒１３の通水孔１５を通って、水量調整弁５の外側の水室部１１に給水され、さらに、保持筒２４の通水孔２７を通って、保持筒２４の外側から内側の散水栓８に給水される。これにより、保持筒２４内側の水圧が高められて散水栓８を押し上げ、キャップ６から散水口７を露出させて、この散水口７から消雪水を放射状に散水する。
【００３５】
その後、給水管２からの消雪水の供給を停止すると、散水口７からの散水が止まると共に、保持筒２４内側の水圧が低下して、散水栓８がその自重によって下がり、キャップ６の内部に散水口７が隠されてその目詰まりが防止される。
【００３６】
次に、消雪用散水ノズル１の散水する水量を調整する手順、及びキャップを着脱する手順を説明する。図４は消雪用散水ノズル１の散水する水量を調整する様子、及びキャップを着脱する様子を示す断面図である。
【００３７】
まず、散水栓８の円板２９からゴムキャップ３５を取り外して、貫通筒３２に、例えばマイナスドライバー３７の先を挿入して、貫通筒３２に内嵌された調整ビス９の操作溝３３に嵌めると共に、調整ビス９を押し込んで、その下端の係合突起３６を水量調整コック１４の係合溝１８に係合させる。
【００３８】
次いで、調整ビス９を回転操作して、回転ストッパ１９で規制される範囲内で、水量調整コック１４を中心軸周りに回転させることにより、その調整孔１７を一定の範囲内で周方向に移動させる。これにより、弁筒１３の通水孔１５を開放、閉塞又は通水面積の調整をして、給水部１０から水室部１１への給水量を調整して、消雪用散水ノズル１の散水する水量を調整する。
【００３９】
また、回転ストッパ１９で規制される範囲を超え、Ｏ−リング２０の抵抗による手応えを伴って、調整ビス９を回転操作することにより、弁筒１３が回転してノズル本体４の小径部１２に着脱され、弁筒１３で保持されたキャップ６がノズル本体４の上端開口に着脱される。
【００４０】
なお、水量調整及びキャップ６の着脱のいずれも、調整ビス９の回転操作によって行うことになるが、回転ストッパ１９で規制される範囲内での回転操作とその範囲を超えての回転操作とで手応えが変わるので、水量調整しているのかキャップ６の着脱をしているのか容易に判別することができる。
【図面の簡単な説明】
【００４１】
【図１】本考案に係る消雪用散水ノズルを示し、左半分は断面図、右半分は側面図
【図２】弁筒及び保持筒の要部拡大断面図
【図３】消雪用散水ノズルが散水する様子を示す図であり、左半分は断面図、右半分は側面図
【図４】消雪用散水ノズル１の散水する水量を調整する様子、及びキャップを着脱する様子を示す断面図
【図５】従来の消雪用散水ノズルの断面図
【図６】従来の消雪用散水ノズルの散水状態の説明図
【図７】従来の消雪用散水ノズルの流量調整の説明図
【符号の説明】
【００４２】
１    消雪用散水ノズル
４    ノズル本体
５    水量調整弁
６    キャップ
７    散水口
８    散水栓
９    調整ビス
１０  給水部
１１  水室部
１２  小径部
１３  弁筒
１４  水量調整コック
１５  通水孔
１９  回転ストッパ
２０  Ｏ−リング
３２  貫通筒
【図１】
0003138152.tif 000003
【図２】
0003138152.tif 000004
【図３】
0003138152.tif 000005
【図４】
0003138152.tif 000006
【図５】
0003138152.tif 000007
【図６】
0003138152.tif 000008
【図７】
0003138152.tif 000009